(57)【要約】      （修正有）【課題】瓦下空間の遮熱性を高めることができ、また、野地板と瓦との間における結露の発生を抑制することができる屋根構造を提供する。【解決手段】野地板２と、前記野地板２上の傾斜する棟軒方向に一定間隔で配設され、前記棟軒方向と直交方向に伸延する複数の桟木３と、前記各桟木３に係合して前記野地板２上に敷設された複数の瓦と、を備えた屋根構造において、前記各瓦の裏面に、前記桟木３と当接可能な複数の凸条部を形成して、前記瓦４の裏面と前記桟木３との間に前記棟軒方向に沿った空気流通路を形成すると共に、前記桟木３の前記軒方向を向いた上側稜部に、前記空気流通路に空気を案内する湾曲部１０を形成した。【選択図】図４
0003151736.tif 000002
【実用新案登録請求の範囲】
【請求項１】
野地板と、
前記野地板上の傾斜する棟軒方向に一定間隔で配設され、前記棟軒方向と直交方向に伸延する複数の桟木と、
前記各桟木に係合して前記野地板上に敷設された複数の瓦と、
を備えた屋根構造において、
前記各瓦の裏面に、前記桟木と当接可能な複数の凸条部を形成して、前記瓦裏面と前記桟木との間に前記棟軒方向に沿った空気流通路を形成すると共に、前記桟木の前記軒方向を向いた上側稜部に、前記空気流通路に空気を案内する湾曲部を形成したことを特徴とする屋根構造。
【請求項２】
前記桟木の底部に、当該桟木を横断する複数の空気流通溝が形成されていることを特徴とする請求項１に記載の屋根構造。
【請求項３】
前記桟木の底部に、当該桟木の長手方向に沿った凹部が形成されていることを特徴とする請求項２に記載の屋根構造。
【請求項４】
前記瓦が棟軒方向に沿って複数段に亘って敷設され、前記各瓦と前記野地板との間には、前記空気流通路を介して連通する瓦下空間が形成されており、
上下段に隣接する前記複数の瓦のうち上段側の瓦の下端縁部を下段側の瓦の上端縁部上に重設して、前記瓦下空間の下端縁から上端縁にかけて、当該瓦下空間の間隔を漸次狭く形成すると共に、最上段に位置する前記瓦下空間の上端縁近傍に空気排出間隙を形成したことを特徴とする請求項１〜３のいずれか１項に記載の屋根構造。
【考案の詳細な説明】
【技術分野】
【０００１】
本考案は、家屋等の屋根構造に関し、特に通気性を向上させることができる屋根構造に関するものである。
【背景技術】
【０００２】
従来、野地板上に桟木を配設し、この桟木に係合させるように瓦を敷設した屋根構造において、野地板と瓦との間に形成される瓦下空間の通気性を向上させる技術が知られている。例えば、特許文献１には、桟木の底部に空気流通溝を形成して瓦下空間の通気性を向上させる技術が開示されている。
【先行技術文献】
【特許文献】
【０００３】
【特許文献１】特開２００４−１９０２１６号公報
【考案の概要】
【考案が解決しようとする課題】
【０００４】
しかしながら、瓦が太陽光により照射されて瓦下空間に滞留する空気が暖められると、暖められた空気は瓦と野地板との間の空間内において上方へ移動してしまうため、空気流通溝が桟木の底部、すなわち、桟木と野地板との間に形成されている特許文献１に記載の技術では、対流が十分に行われなくなるおそれがある。そのため、瓦と野地板との間の通気性を十分に高めることができなくなり、結果的に瓦下空間の遮熱性を高めることも、野地板と瓦との間における結露の発生を抑制することもできなくなるおそれがあった。
【０００５】
本考案は、斯かる事情に鑑みてなされたものであって、瓦下空間の遮熱性を高めることができ、また、野地板と瓦との間における結露の発生を抑制することができる屋根構造を提供することを目的とする。
【課題を解決するための手段】
【０００６】
そこで、上記問題点を解決すべく、請求項１記載の本考案では、野地板と、前記野地板上の傾斜する棟軒方向に一定間隔で配設され、前記棟軒方向と直交方向に伸延する複数の桟木と、前記各桟木に係合して前記野地板上に敷設された複数の瓦と、を備えた屋根構造において、前記各瓦の裏面に、前記桟木と当接可能な複数の凸条部を形成して、前記瓦裏面と前記桟木との間に前記棟軒方向に沿った空気流通路を形成すると共に、前記桟木の前記軒方向を向いた上側稜部に、前記空気流通路に空気を案内する湾曲部を形成したことを特徴とする屋根構造とした。
【０００７】
また、請求項２記載の考案は、請求項１に記載の屋根構造において、前記桟木の底部に、当該桟木を横断する複数の空気流通溝が形成されていることとした。
【０００８】
また、請求項３記載の考案は、請求項２に記載の屋根構造において、前記桟木の底部に、当該桟木の長手方向に沿った凹部が形成されていることとした。
【０００９】
また、請求項４記載の考案は、請求項１〜３のいずれか１項に記載の屋根構造において、前記瓦が棟軒方向に沿って複数段に亘って敷設され、前記各瓦と前記野地板との間には、前記空気流通路を介して連通する瓦下空間が形成されており、上下段に隣接する前記複数の瓦のうち上段側の瓦の下端縁部を下段側の瓦の上端縁部上に重設して、前記瓦下空間の下端縁から上端縁にかけて、当該瓦下空間の間隔を漸次狭く形成すると共に、最上段に位置する前記瓦下空間の上端縁近傍に空気排出間隙を形成したこととした。
【考案の効果】
【００１０】
請求項１に記載の考案によれば、野地板と、野地板上の傾斜する棟軒方向に一定間隔で配設され、棟軒方向と直交方向に伸延する複数の桟木と、各桟木に係合して野地板上に敷設された複数の瓦と、を備えた屋根構造において、各瓦の裏面に、桟木と当接可能な複数の凸条部を形成して、瓦裏面と桟木との間に棟軒方向に沿った空気流通路を形成すると共に、桟木の軒方向を向いた上側稜部に、空気流通路に空気を案内する湾曲部を形成するようにした。したがって、野地板と瓦との間に滞留する空気（例えば、暖気）は、桟木の湾曲部に沿って空気流通路に吸入されやすくなり、当該野地板と瓦との間に滞留する空気する空気は対流しやすくなって、野地板と瓦との間の通気性が向上する。これにより、野地板と瓦との間に暖気が滞留することを抑制することができ、野地板と瓦との間の遮熱性を高めることができる。
【００１１】
また、野地板と瓦との間に暖気が滞留することを抑制することができるため、野地板と瓦との間における結露の発生を抑制することができ、野地板等の耐久性を向上させることができる。
【００１２】
請求項２に記載の考案によれば、桟木の底部に、当該桟木を横断する複数の空気流通溝を形成するようにしたので、野地板と瓦との間に滞留する空気（例えば、冷気）は、桟木の空気流通溝を介して対流しやすくなる。これにより、野地板と瓦との間では暖気と冷気を相互に対流させることができるため、野地板と瓦との間の通気性をさらに向上させることができる。従って、野地板と瓦との間の遮熱性をさらに高めることができると共に。野地板等の耐久性をさらに向上させることもできる。
【００１３】
請求項３に記載の本考案によれば、桟木の底部に、当該桟木の長手方向に沿った凹部を形成するようにしたので、桟木の底部において空気が拡散され、各空気流通溝から万遍なく排気することができるため、さらに空気を対流しやすくすることができる。これにより、野地板と瓦との間の通気性をさらに向上させることができ、野地板と瓦との間の遮熱性をさらに高めることができると共に。野地板等の耐久性をさらに向上させることもできる。
【００１４】
請求項４に記載の考案によれば、瓦が棟軒方向に沿って複数段に亘って敷設され、各瓦と野地板との間には、空気流通路を介して連通する瓦下空間が形成されており、上下段に隣接する複数の瓦のうち上段側の瓦の下端縁部を下段側の瓦の上端縁部上に重設して、瓦下空間の下端縁から上端縁にかけて、当該瓦下空間の間隔を漸次狭く形成すると共に、最上段に位置する瓦下空間の上端縁近傍に空気排出間隙を形成するようにしたので各瓦下空間を順次対流した空気（例えば、暖気）を空気排出間隙を介して大気中に排出することができ、また、複数段の瓦のうち上段側の瓦の下端縁部を、下段側の瓦の上端縁部上に重設し、瓦下空間の下端縁から上端縁にかけて、当該瓦下空間の間隔を漸次狭く形成するようにしたので、瓦の下端縁から上端縁に向かうにつれて空気の流速が増すため、瓦下空間に滞留する空気を対流しやすくすることができる。
【図面の簡単な説明】
【００１５】
【図１】本考案に係る屋根構造の断面視による説明図である。
【図２】本考案に係る屋根構造の軒先部分の斜視図である。
【図３】図１のＡ−Ａ断面図である。
【図４】本考案に係る桟木の斜視図である。
【図５】本考案に係る屋根構造の棟部の断面図である。
【図６】本考案に係る屋根構造の軒先部の断面図である。
【考案を実施するための形態】
【００１６】
以下、本考案に係る屋根構造１の一実施形態を図面に基づき説明する。
【００１７】
図１は本考案に係る屋根構造の断面視による説明図であり、図２は本考案に係る屋根構造の軒先部分の斜視図であり、図３は図１のＡ−Ａ断面図である。
【００１８】
［屋根構造１の概要］
屋根構造１は、図１，２に示すように、野地板２と、この野地板２上に敷設された防水シート２０と、この防水シート２０介して野地板２上の棟軒方向に一定間隔で配設され、前記棟軒方向と直交方向に伸延する桟木３と、桟木３を介して野地板２上に敷設された複数の瓦４（４ａ〜４ｅ）により構成されている。具体的には、桟木３は、例えば釘等の固定部材により野地板２に固定されている。また、瓦４は、その上端縁に係合片５が垂設されており、この係合片５が桟木３の背面に係止されることにより瓦４と桟木３が係合して当該瓦４が野地板２上に敷設される。なお、本実施形態においては、説明を簡単にするために棟軒方向に沿って５段の瓦４（４ａ〜４ｅ）を敷設するようにしたが、これには限定されない。また、本実施形態において棟軒方向とは、屋根の棟部と軒先部とを結ぶ方向を指す。
【００１９】
かかる屋根構造１における各瓦４と野地板２との間には、瓦４が棟軒方向に沿って複数段に亘って敷設されているので、桟木３により区切られた瓦下空間６が形成されることになる。
【００２０】
また、上下段に隣接する複数の瓦４（例えば、軒先部における瓦４ａと瓦４ｂ）のうち上段側の瓦４（例えば、瓦４ｂ）の下端縁部を下段側の瓦４（例えば、瓦４ａ）の上端縁部上に重設するようにしており、各瓦下空間６の下端縁から上端縁にかけては、当該瓦下空間６の間隔を漸次狭くなっている。
【００２１】
また、屋根構造１は、桟木３と瓦４が係合する部分において図３に示すような断面構造を有している。具体的には、図示するように、瓦４の裏面には棟軒方向に沿って桟木３と当接可能な複数の凸条部７（本実施形態では２本の平行な凸条部７，７）が形成されており、この凸条部７と桟木３とが当接することで桟木３と瓦４との間に、凸条部７、７の間に棟軒方向に沿った空気流通路８が形成されるようになっている。他方、桟木３の底部には空気流通溝９が形成されている。なお、空気流通溝９については後に詳述する。
【００２２】
このように、桟木３と瓦４との間に空気流通路８を形成することで、瓦下空間６に滞留する空気（例えば、瓦４の裏面付近に滞留し、日照等により暖められた暖気）が上昇し、瓦下空間６内における上部位置に設けられた空気流通路８を介して上段側の瓦下空間６へ対流するようになっている。例えば、図１における瓦下空間６ａに滞留していた空気は、瓦下空間６ａよりも上段側の瓦下空間６ｂへ対流するようになっている。
【００２３】
このとき、詳しくは後述するが、桟木３の軒方向を向いた上側稜部に、空気流通路８に空気を案内する湾曲部１０を形成している。したがって、瓦下空間６に滞留する暖気は、桟木３の湾曲部１０に沿って空気流通路８に吸入されやすくなり、瓦下空間６に滞留する暖気は対流しやすくなっている。
【００２４】
また、桟木３の底部に空気流通溝９が形成されていることで、瓦下空間６に滞留する空気（例えば、野地板２の付近に滞留し、日照等により暖められていない冷気）が下段側の瓦下空間６へ対流するようになっている。例えば、図１における瓦下空間６ｂに滞留していた空気は、瓦下空間６ｂよりも下段側の瓦下空間６ａへ対流する。
【００２５】
また、上述のとおり、野地板２と瓦４との間、すなわち、瓦下空間６の下端縁から上端縁にかけて、当該瓦下空間６の間隔を漸次狭くなるように形成することで、瓦下空間６に滞留する空気が、空気流通路８を通り上段側の瓦下空間６へ対流するとき、瓦４の下端縁から上端縁にかけて空気の流速が増すため、瓦下空間６に滞留する空気が対流しやすくなる。なお、図３において、符号１９で示すものは垂木である。
【００２６】
［屋根構造１の具体的構成］
（桟木３について）
ここで、本実施形態に係る屋根構造１の特徴的な部分である桟木３について説明する。この桟木３は、断面視略矩形形状の長手部材からなり、野地板２の棟軒方向に配設されたときの上部前後の２つの綾部分のうち、瓦４が係合しない前側の綾部を面取りすると共に、面取りした部分を凸状の湾曲面としている。すなわち、図４（ａ）に示すように、正面側の上側稜部に湾曲部１０を形成しており、桟木３の正面側から流れてきた空気は、この桟木３の湾曲部１０に沿って桟木３の上部から背面側へ流れやすくなるようになっている。
【００２７】
例えば、図１に示すように、この桟木３を屋根構造１に適用し、当該桟木３の軒方向を向いた上側稜部に湾曲部１０を形成することで、下段側の瓦下空間６（例えば、瓦下空間６ａ）に滞留する空気（例えば、暖気）は、桟木３の湾曲部１０に沿って空気流通路８に流れ込みやすくなり、当該空気流通路８を通り、上段側の瓦下空間６（例えば、瓦下空間６ｂ）へ対流しやすくなる。
【００２８】
また、上述のとおり、桟木３の底部には、当該桟木３を横断する、例えば、２ｍｍの深さ、５ｍｍの幅、１５．５ｍｍのピッチの空気流通溝９が複数形成されている（図４（ｂ）参照）。これにより、図２に示すように、この桟木３が野地板２（防水シート２０）上に配設された場合には、例えば、瓦下空間６ｂに滞留する空気（例えば、冷気）が空気流通溝９を通り下段側の瓦下空間６ａに対流しやすくなるようになっている。また、この空気流通溝９は、例えば、雨天時には瓦下空間６に流れ込んだ雨水等を排水する機能も有している。
【００２９】
また、桟木３の底部には、図４（ｂ）に示すように、空気流通溝９に加え、長手方向に沿った凹部１１が形成されている。これにより、空気流通溝９から桟木３の底部に吸気された空気は、この凹部１１内で拡散され、全ての空気流通溝９から万遍なく排気されるため、さらに空気が対流しやすくなるようになっている。
【００３０】
上述のとおり、桟木３の軒方向を向いた上側稜部に湾曲部１０を形成し、かつ、桟木３の底部に、当該桟木３を横断する複数の空気流通溝９を形成することで、桟木３の正面側から流れる空気は、桟木３の湾曲部１０に沿って当該桟木３の背面側に対流しやすくなると共に、桟木３の背面側から流れる空気は空気流通溝９を通り当該桟木３の正面側に対流しやすくなる。
【００３１】
このように、この桟木３を用いた屋根構造１では、瓦下空間６（例えば、瓦下空間６ａ）に滞留する空気（例えば、暖気）を、上段側の瓦下空間６（瓦下空間６ｂ）へと対流させやすくなると共に、瓦下空間６（例えば、瓦下空間６ｂ）に滞留する空気（例えば、冷気）を、下段側の瓦下空間６（瓦下空間６ａ）へと対流させやすくなっている。さらに、桟木３の底部に長手方向に沿った凹部１１を形成することで、さらに空気が対流しやすくなるように構成されている。
【００３２】
ところで、本実施形態に係る桟木３は樹脂材料により形成されており、腐朽しにくいようになっている。しかし、それ以外にも、例えば、木材により形成することもできる。桟木３を木材により形成した場合、桟木３の製造コストを低減させることができ、また、かかる桟木３の軒方向を向いた上側稜部に湾曲部１０が形成されているため、空気の滞留による結露などが効果的に抑制できるため、桟木３の腐朽を抑制することもできる。
【００３３】
また、本実施形態では、空気流通溝９は、例えば、２ｍｍの深さ、５ｍｍの幅、１５．５ｍｍのピッチで形成するようにしたが、これには限定されず、例えば、ピッチを狭くしたり、広くしたりすることができる。例えば、ピッチを狭くする場合には、さらに排気及び排水効果を向上することができる。また、ピッチを広くする場合には桟木３の耐久性を高めることができる。
【００３４】
（棟部について）
続いて、屋根構造１の棟部の構造について図５を参照して説明する。屋根構造１の棟部では、棟頂１２には野地板２上に支持部材１３が配設されており、この支持部材１３により棟瓦１４が支持されている。最上段に位置する瓦下空間６の上端縁近傍、すなわち、最上段に位置する瓦４ｅと支持部材１３との間や、棟瓦１４と瓦４との間にはそれぞれ間隙が形成されており、これらの間隙により空気排出間隙１５が形成されている。
【００３５】
空気排出間隙１５は、最上段に位置する瓦下空間６ｅと大気中とを連通しており、当該瓦下空間６ｅ内に滞留する空気（例えば、暖気）が空気流通路８を通り大気中に排出され、一方、大気中の空気（例えば、冷気）が桟木３の空気流通溝９を通り瓦下空間６ｅに吸入されるようになっている。
【００３６】
これにより、例えば、瓦下空間６に滞留する空気が日照等により、暖められた場合には、この暖められた空気（暖気）は、空気流通路８を通り順次上段側の瓦下空間６を対流し、最終的に空気排出間隙１５を通り大気中に排出される。従って、各瓦下空間６が高温になることが抑制される。
【００３７】
また、瓦下空間６が高温になることが抑制されることで、瓦４と野地板２との間の遮熱性が高められ、屋内が高温になることが抑制される。
【００３８】
さらに、瓦下空間６が高温になることが抑制されることでと、瓦下空間６と大気中との温度差が大きくなることが抑制されるため、瓦下空間６内に結露が生じることが抑制される。
【００３９】
（軒先部について)
続いて、屋根構造１の軒先部の構造について図６を参照して説明する。屋根構造１の軒先部では、野地板２の先端に鼻桟１６が配設されており、最下段の瓦４の下端縁部は鼻桟１６上に載置されている。
【００４０】
鼻桟１６と瓦４が係合する部分は、上述した図３に示す構造と同様な断面構造を有している。具体的には、鼻桟１６と瓦４との間には空気流通路（不図示）が形成されると共に、野地板２と鼻桟１６との間には後述する空気流通溝１７が形成されており、これらの空気流通路や空気流通溝１７により排気や吸気が行われるようになっている。
【００４１】
鼻桟１６の底部は、上述した桟木３の底部と同様に、鼻桟１６を横断する複数の空気流通溝１７と長手方向に沿った凹部１８が形成されており、各瓦下空間６に滞留する空気（例えば、冷気）は、各桟木３の空気流通溝９を通り順次下段側の瓦下空間６に流れた後、鼻桟１６の空気流通溝１７を通り大気中に排気される。なお、雨天時には、この空気流通溝１７を通り雨水等が排水される。
【００４２】
また、鼻桟１６は、その高さが桟木３に対して大きく形成されており、軒先部における瓦下空間６においても、瓦４の下端縁から上端縁に向かうにつれて野地板２と瓦４との間の間隔が漸次狭くなるように形成されている。
【００４３】
なお、本実施形態では、鼻桟１６が断面視方系状に形成されているが、これには限定されず、例えば、桟木３と同様に軒方向を向いた上側稜部に湾曲部を形成することもできる。鼻桟１６の軒方向を向いた上側稜部に湾曲部１０を形成する場合には、大気中から瓦下空間６へ外気を吸気する際には、吸気効率が高められる。その結果、瓦下空間６に滞留する空気（例えば、暖気）がその上段側の瓦下空間６へ対流する効率が向上する。
【００４４】
上述してきたように、本考案によれば、瓦４の裏面に棟軒方向に沿って複数の凸条部７を形成し、当該凸条部７が桟木３と当接することで瓦４と桟木３との間に棟軒方向に沿った空気流通路８を形成し、かつ、桟木３の軒方向を向いた上側稜部に当該空気流通路８に空気を案内するように湾曲部１０を形成するようにしたので、瓦下空間６（例えば、瓦下空間６ａ）に滞留する空気（例えば、暖気）を上段側の瓦下空間６（瓦下空間６ｂ）に対流しやすくすることができる。
【００４５】
これにより、瓦下空間６の通気性を向上させることができるため、瓦４と野地板２との間の空間、すなわち、瓦下空間６が高温になることを抑制することができるため、瓦下空間６と大気中との温度差が大きくなることを抑制することができ、瓦下空間６内に結露が生じることを抑制することができる。これにより、野地板２等の屋根構造１を構成する部材が腐朽することを抑制することができ、屋根構造の耐久性を向上させることができる。
【００４６】
また、桟木３の底部に当該桟木３を横断する複数の空気流通溝９を形成する場合には、瓦下空間６（例えば、瓦下空間６ｂ）に滞留する空気（例えば、冷気）を下段側の瓦下空間６（瓦下空間６ａ）に対流しやすくすることができる。これにより、瓦下空間６内の空気（例えば、暖気）を上段側の瓦下空間６に対流させることができると共に、瓦下空間６内の空気（例えば、冷気）を下段側の瓦下空間６に対流させることもできるため、瓦下空間６の通気性をさらに向上させることができる。
【００４７】
また、桟木３の底部に長手方向に沿った凹部１１を形成する場合には、空気流通溝９から桟木３の底部に吸気された空気を凹部１１内で拡散し、全ての空気流通溝９から万遍なく排気することができるため、さらに空気を対流しやすくすることができる。これにより、瓦下空間６の通気性をさらに向上させることができる。
【００４８】
また、瓦４が棟軒方向に沿って複数段に亘って敷設され、各瓦４と野地板２との間には、空気流通路８を介して連通する瓦下空間６が形成されており、上下段に隣接する複数の瓦４のうち上段側の瓦４の下端縁部を下段側の瓦４の上端縁部上に重設して、瓦下空間６の下端縁から上端縁にかけて、当該瓦下空間６の間隔を漸次狭く形成する場合には、瓦４の下端縁から上端縁に向かうにつれて空気の流速を増すことができ、瓦下空間６に滞留する空気を上段側の瓦下空間６に対流しやすくすることができる。
【００４９】
さらに、最上段に位置する瓦下空間６の上端縁近傍に空気排出間隙１５を形成する場合には、瓦下空間６に滞留する空気を、順次上段側の瓦下空間６へ対流させることで、最終的に空気排出間隙１５を通り大気中に排出することができる。これにより、例えば、日照等により、各瓦下空間６に対流する空気が暖められた場合であっても、順次換気を行うことができるため、各瓦下空間６が高温になることを抑制することができる。
【００５０】
最後に、上述した実施形態の説明は本考案の一例であり、本考案は上述の実施形態に限定されることはない。このため、上述した実施形態以外であっても、本考案に係る技術的思想を逸脱しない範囲であれば、設計等に応じて種々の変更が可能であることは勿論である。
【符号の説明】
【００５１】
１  屋根構造
２  野地板
３  桟木
４  瓦
５  係合片
６  瓦下空間
７  凸条部
８  空気流通路
９，１７  空気流通溝
１０  湾曲部
１１，１８  凹部
１２  棟頂
１３  支持部材
１４  棟瓦
１５  空気排出間隙
１６  鼻桟
１９  垂木
２０  防水シート
【図１】
0003151736.tif 000003
【図２】
0003151736.tif 000004
【図３】
0003151736.tif 000005
【図４】
0003151736.tif 000006
【図５】
0003151736.tif 000007
【図６】
0003151736.tif 000008